(57)【要約】  本発明は、発泡スチロールを構成材とした複数の分割片１１ａ〜１１ｃ，２１を集合して組み立てられ、内部に植物を栽培するための密閉空間１０５を形成するとともに、照明装置２１０，２１１および空調装置２３０を備える。【特許請求の範囲】
【請求項１】
発泡スチロールを構成材とした複数の分割片を集合して組み立てられ、内部に植物を栽培するための密閉空間を形成するとともに、照明装置および空調装置を備える全天候型農業ハウス。
【請求項２】
請求項１に記載の全天候型農業ハウスにおいて、
前記分割片は、曲面状に形成され、
前記密閉空間は、略半円筒形状である。
【請求項３】
請求項１または２に記載の全天候型農業ハウスにおいて、
互いに隣接する前記分割片の端面同士を補強部材を介して長手方向に連結する。
【請求項４】
請求項１〜３のいずれか１項に記載の全天候型農業ハウスにおいて、
全天候型農業ハウスが立設される敷地上に支持ブロックを敷設し、この支持ブロックに前記分割片の下端を嵌合して立設する。
【請求項５】
請求項１〜４のいずれか１項に記載の全天候型農業ハウスにおいて、
前記密閉空間の内表面に、前記照明装置からの照明光を反射する反射材を貼付する。
【発明の詳細な説明】
【技術分野】
【０００１】
本発明は、野菜や果物などを栽培する全天候型農業ハウスに関する。
【背景技術】
【０００２】
従来より、ビニールハウスや栽培工場等、屋内で野菜や果物などを栽培するようにした栽培方式が知られている（例えば特許文献１参照）。このうち、とくに栽培工場は災害に強く、工場内の明るさや温度等を人工的に管理することで、計画的な植物の栽培が可能である。【０００３】
【特許文献１】特開平７−１１１８２８号公報
【発明の開示】
【発明が解決しようとする課題】
【０００４】
しかしながら、栽培工場を建設するには工期およびコストがかかる。
【課題を解決するための手段】
【０００５】
本発明による全天候型農業ハウスは、発泡スチロールを構成材とした複数の分割片を集合して組み立てられ、内部に植物を栽培するための密閉空間を形成するとともに、照明装置および空調装置を備える。
分割片を曲面状に形成し、略半円筒形状の密閉空間とすることもできる。
互いに隣接する分割片の端面同士を補強部材を介して長手方向に連結することが好ましい。
農業ハウスが立設される敷地上に支持ブロックを敷設し、この支持ブロックに分割片の下端を嵌合して立設するようにしてもよい。
密閉空間の内表面に、照明装置からの照明光を反射する反射材を貼付することが好ましい。
【発明の効果】
【０００６】
本発明によれば、発泡スチロールを構成材とした複数の分割片を集合して組み立てることにより全天候型農業ハウスを形成するようにしたので、栽培工場を建設するときのような大がかりな現場での作業が不要であり、工期を短縮かつコストを削減できる。
【図面の簡単な説明】
【０００７】
【図１】本発明の実施の形態に係る全天候型農業ハウスの全体を示す斜視図。
【図２】図１の分解斜視図。
【図３】農業ハウスの周方向の組立状態を示す立面図。
【図４】図３のIV部拡大図。
【図５】第３のV部拡大図。
【図６】（ａ）は農業ハウスの前後方向の組立状態を示す斜視図、（ｂ）は図２のVI-VI線断面図、（ｃ）は変形例を示す図。
【図７】（ａ）は図１のVII-VII線断面図、（ｂ）はその要部拡大図。
【図８】図１のVIII-VIII線断面図。
【図９】本発明による農業ハウスの内部構成を示す平面図。
【図１０】本発明による農業ハウス内の空気流れを示す平面図。
【符号の説明】
【０００８】
１１，２１  分割片
３０  支持ブロック
５０  Ｈ鋼
１０５  栽培室
２１０，２１１  照明
２２０  送風機
２３０  空調装置
【発明を実施するための最良の形態】
【０００９】
以下、図１〜図９を参照して本発明による全天候型農業ハウスの実施の形態について説明する。
まず、全体形状を説明する。図１は本実施の形態に係る農業ハウス１の外観を示す斜視図であり、図２はその分解斜視図である。なお、以下では便宜上図示のように前後左右を定義する。【００１０】
図１に示すように農業ハウス１は、前後方向に細長い半円筒状の周壁１０と、周壁１０の前後面を塞ぐ略半円板状の前後壁２０とを有し、全体がいわゆるトンネル形状をなしている。【００１１】
図２に示すように半円筒状の周壁１０は、複数のアーチ状分割周壁１１を集合して組み立てられる。各分割周壁１１は、それぞれ３つの分割片１１ａ〜１１ｃで構成され、分割片１１ａ〜１１ｃ同士は軸長手方向に接して接着されている。そして、各分割周壁同士は各軸長手方向端面で接して接着されている。前後壁２０は、単一の分割片２１により構成されている。なお、複数の分割片を集合して前後壁２０を組み立てることもできる。３０は、後述する支持ブロックであり、農業ハウス１の幅方向に２列づつ配列され、周壁１０の下端を支持する。一棟の農業ハウス１の大きさは、例えば幅（左右方向長さ）が５〜１０ｍ，奥行き（前後方向長さ）が２０〜５０ｍ、高さが３〜５ｍ程度である。【００１２】
各分割片１１ａ〜１１ｃ，２１は、発泡倍率が１０〜５０倍で厚さ１０〜５０ｃｍの発泡スチロールの成形品である。例えば、積雪が最大で８０ｃｍ程度の場合には、発泡倍率２０倍、厚さ２０ｃｍの発泡スチロールからなる分割片とすることができる。なお、同じ強度を得るためには、発泡倍率を大きくすれば厚みが厚くなる。また、積雪を考慮する必要がない地域では、発泡倍率を２０倍より大きくし、あるいは厚みを２０ｃｍ以下に薄くできる。反対に、積雪量が１ｍ以上の地域では、発泡倍率を２０倍以下に小さくして強度を担保するか、厚みを厚くする。この種の発泡スチロールは遮光性に優れ、外部からの光の入射をカットできる。【００１３】
これらの分割片１１ａ〜１１ｃ，２１は予め工場にて製造され、現場で組み立てられる。分割片１１ａ〜１１ｃ，２１の大きさは運搬性、組立性を考慮して決定される。分割片１１ａ〜１１ｃ，２１は発泡スチロール製であるため重量が軽く、運搬作業、組立作業が容易である。分割片２１には予めハウス１への出入口である開口部２２が形成され、開口部２２に開閉可能なドア２３（図１）が取り付けられる。【００１４】
図３は周方向に３分割された分割周壁１１の組立状態を示す立面図であり、図４は図３のIV部拡大図、図５は図３のV部拡大図である。図４に示すように分割片１１ａの上端面には凸部１１１が形成され、これに対向する分割片１１ｂの下端面には凹部１１２が形成されている。凹部１１２には凸部１１１が嵌合し、その状態で分割片１１ａ，１１ｂ同士が接着されて固定されている。図示は省略するが、分割片１１ｂと分割片１１ｃも同様にして接着されて固定されている。【００１５】
図２に示すように、地面には農業ハウス１の幅寸法となる間隔をあけて、複数の支持ブロック３０が２列に配列されている。この支持ブロック３０は、図５に示すように断面略Ｕ字状であり、この支持ブロック３０のＵ字部に分割片１１ａの下端部が嵌合している。支持ブロック３０はコンクリート二次製品であり、図では支持ブロック３０の一部が地中に埋設され、支持ブロック３０が敷地に固定されている。分割片１１ａの下端部は、支持ブロック３０を左右方向に貫通する貫通ボルト３１により支持ブロック３０に締結されている。図示は省略するが、分割片１１ｃの下端部も同様にして支持ブロック３０に締結されている。これにより農業ハウス１は支持ブロック３０を介して敷地に立設される。【００１６】
左右の支持ブロック３０の間には発泡マット４１が敷設され、発泡マット４１の上方に床コンクリート４２が打設されている。床コンクリート４２の上面にはコーティング４３が施され、ハウス１内の床面が凹凸のない平坦面とされている。各分割片１１ａ〜１１ｃの内表面には、光を反射する反射材４４が貼付されている。反射材４４としては、例えばアルミ箔等を用いることができる。アルミ箔は光だけでなく熱も反射するので、ハウス１内を均一な温度環境に保つことができる。なお、アルミ箔の代わりにアルミ板を貼り付けることもできる。この場合、ハウス１はアーチ状であるため、アルミ板を容易に貼り付けることができる。分割片１１ａ〜１１ｃの成形の際に、アルミ板などの反射材４４を先に成形機内にセットし、分割片１１ａ〜１１ｃと一体に成形することもできる。各分割片１１ａ〜１１ｃの外表面には、ハウス１の耐火性，防火性，耐候性，耐水性，耐傷性，防音性等を高めることを目的として、コンクリートの中にポリマーを配合した樹脂コンクリートなどの塗布材４５が塗布されている。なお、樹脂コンクリートの接合性を高めるためには家屋表面が粗い方がよく、分割片１１ａ〜１１ｃの表面は例えば凹凸状に形成される。【００１７】
図６（ａ）は分割周壁１１の前後方向の連結状態を示す斜視図であり、図６（ｂ）はその連結部の断面図（図２のVI-VI線断面図）である。互いに隣り合う分割片１１ａの間には、ハウス形状に沿って略半円環状のＨ鋼５０が介装され、Ｈ鋼５０の下端部は貫通ボルト３１（図５）により分割片１１ａと一体に支持ブロック３０に締結されている。各分割片１１ａの前後方向端面にはそれぞれＨ鋼５０が嵌合するための凹部１１３，１１４が形成され、分割片１１ａ同士がＨ鋼５０を介して接着されて固定されている。図示は省略するが、分割片１１ｂ同士、および分割片１１ｃ同士もＨ鋼５０を介して同様に連結されている。これによりＨ鋼５０がハウス１の補強部材として機能し、農業ハウス全体の強度を高めることができる。その結果、分割周壁１１を数十ｍの長さまで連結してハウス１を組み立てることや、積雪の多い地域にハウス１を組み立てることも強度上可能である。【００１８】
ハウス１の強度がそれほど必要ない場合（例えば積雪の心配がない場合）には、図６（ｃ）に示すようにＨ鋼５０の代わりにプレート５１を介装し、プレート５１を介して分割片１１同士を連結してもよい。なお、図示は省略するが、分割周壁１１と分割片２１の連結部にもＨ鋼５０もしくはプレート５１などの補強部材が設けられている。【００１９】
このような発泡スチロールを構成材とした農業ハウス１は、ビニールハウスとは異なり破損に強く、地震や台風などの災害にも十分に耐え得る。しかも、仮に、地震によってハウス表面にひび割れが生じたり、台風の際に飛散物の衝突によりハウス表面に部分的な変形が生じたとしても、その修復を容易に行うことができる。通常の建築物やガラス温室と比べて災害時の倒壊の可能性は低く、ハウス表面にガラスを用いていないため、ハウス内に割れたガラスが飛散するといった心配がない。また、壁面は十分な厚さがあるため、外側から何らかの衝撃が作用したとしても、その衝撃がハウス内に達することを防ぐことができる。ビニールハウスのように風で変形したり、ビニールが破れて作物に被害を与えることもない。【００２０】
発泡スチロールは断熱性に優れ、かつ遮光性があるるため、ハウス内で栽培する植物（野菜や果物など）の生育環境、すなわち温度，湿度，光の照射時間等を容易に管理することができ、外部の気候条件に左右されずに安定した収穫が可能である。組立式発泡ハウスとすることにより、栽培工場を建築する場合に比べ、短い工期でかつ安価に農業ハウス１を完成することができる。また、反射材４４により、栽培する植物の照射効率を向上することができ、照明光源の設置個所を少なくすることもできる。【００２１】
全天候型農業ハウス１の組立手順の一例を説明する。まず、図２に示すようにハウス１を組み立てる場所に支持ブロック３０を敷設する。次いで、ハウス１の最前部に相当する位置に補強部材（例えばＨ鋼５０）を立設し、このＨ鋼５０に各分割片１１ａ〜１１ｃの前端の凹部１１４をそれぞれ嵌合する。その状態で、Ｈ鋼５０の下端部および分割片１１ａ，１１ｃの下端部を貫通ボルト３１を介して支持ブロック３０に締結する。この際、分割片１１ａ〜１１ｃ同士を凹部１１２および凸部１１１を介して周方向に連結し、接着して分割周壁１１を形成する。次いで、この分割周壁１１の後端の凹部１１３にＨ鋼５０を嵌合し、さらにハウス全体が所定の長さになるまで、Ｈ鋼５０を介して分割周壁１１の連結作業を繰り返す。【００２２】
ハウス全体が所定の長さになると、左右の支持ブロック３０の間に発泡マット４１を敷設した後、その上方に床コンクリート４２を打設し、床コンクリート４２の上面にコーティング４３を施す。さらにハウス１の内表面に反射材４４を貼付し、外表面に塗布材４５を塗布する。次いで、重機等を用いてハウス内に栽培棚２００（図７）等、大型の部品や製品を搬入した後、ハウス１の前後端部の分割周壁１１にＨ鋼５０を介して分割片２１を連結する。これによりハウス１の前後面を閉塞し、外部から遮蔽された密閉空間を形成する。なお、予め工場で分割片１１ａ〜１１ｃの表面に反射材４４を貼付し、塗布材４５を塗布しておけば、組立時の作業を簡略化することができる。【００２３】
次に、一例として農業ハウス１でいちごを栽培する場合のハウス１の内部構造を説明する。図７は農業ハウス１の内部構造を示す図１のVII-VII線断面図、図８は図１のVIII-VIII線断面図、図９は平面図である。図９に示すように、ハウス内は風除室１０１，エアシャワー室１０２，着替・準備室１０３，殺菌室１０４，および栽培室１０５に区画されている。【００２４】
栽培室１０５内には複数の栽培棚２００、例えば幅方向に３組、前後方向に２組、計６組の栽培棚２００が立設されている。図７（ａ）に示すように栽培棚２００は正面から見ると略Ａ型形状をなし、その外側の傾斜した側面部に筒状のガター２０１が前後方向にわたって延設されている。ガター２０１は上下に複数段（図では５段）設けられ、栽培棚２００は多段式栽培棚として構成されている。【００２５】
図７（ｂ）に示すように、ガター２０１の上面の収容部２０２にはポット２０３が収容され、ポット２０３にいちごが栽培されている。ガター２０１の前後両端部にはそれぞれパイプ２０４が接続され、図示しないポンプの駆動によりパイプ２０４を介してガター２０１内に液肥が供給される。この供給された液肥はガター２０１内の底面に沿って流れた後、タンクに戻され、再度パイプ２０４を介してガター２０１内に供給される。これによりガター２０１内を液肥が循環し、いちごの発育にとって必要な水分および栄養分がポット２０３を介していちごに供給される。このようにパイプ２０４とガター２０１を介して水分や栄養分を供給するので、室内に水をまく必要がない。そのため、排水ピットや排水口を設置する必要がなく、雑菌の侵入や繁殖を防ぐことができる。【００２６】
ハウス内壁面には、いちごに光を当てるための照明２１０（例えば蛍光灯）が複数箇所に取り付けられ、栽培棚２００の内側にも照明２１１が取り付けられている。また、上述したようにハウス１の内表面には反射材４４が全面に貼付されている。これにより栽培棚２００のいちごに各方向から照明光が当たり、ムラのない良質のいちごを栽培できる。この場合、照明光の照度、照射時間を適宜調整することで、いちごの生育を早めることができる。【００２７】
図７（ａ）および図８に示すように栽培室１０５の天井部には送風機２２０が取り付けられ、栽培室内に直接外気を吸い込まないように空気流れが管理されている。これにより雑菌や虫の侵入を防ぐことができる。また、栽培室１０５には空調装置２３０（エアコンディショナー）が取り付けられ、室内がいちごの栽培に適した温度，湿度に空調管理されている。図１０は、栽培室１０５の空気流れの様子を模式的に示す平面図である。図中、矢印で示すように栽培室１０５を空気が循環し、栽培室１０５内を均一な空調に保つ。この場合、栽培室１０５は天井部がアーチ状に形成されているため、空気のよどみが少なく、室内を均一な空調状態に設定することが容易である。また、発泡スチロールは断熱性に優れるため、コンクリート製の栽培工場よりも効率よく空調することができる。すなわち冷暖効率が高い農業ハウスとなる。【００２８】
ハウス内の各室１０１〜１０５の入退室の順序は図９の矢印に示した通りである。すなわち、作業員はまず風除室１０１に入室し、次いでエアーシャワー室１０２にて全身に付着したゴミ等をエアシャワーで除去した後、着替・準備室１０３で作業着に着替え、準備する。そして、殺菌室１０４で全身を殺菌した後、栽培室１０５に入室する。これにより作業員が栽培室１０５に入室する際に、外部からの雑菌や虫の侵入を防ぐことができ、良好な衛生状態を保つことができる。【００２９】
また、農業ハウス１の内表面は底部から頂部にかけて全体が曲面形状をなし、内表面の凹凸箇所は少ないため、ハウス内に埃や雑菌が溜まりにくく、極めて衛生的な室内空間を生み出すことができる。分割片１１ａ〜１１ｃの内表面に照明２１０を埋め込むこともできる。これにより照明２１０の取り付け部における表面の凹凸をなくすことができ、衛生上好ましい。【００３０】
以上の実施の形態によれば以下のような作用効果を奏することができる。
（１）発泡スチロールを構成材とする分割片１１ａ〜１１ｃ，２１を集合して農業ハウス１を組み立てるようにしたので、農業ハウス１の全体が厚さのある発泡スチロールで覆われ、十分な強度を確保できる。また、栽培工場を建設するときのような、大がかりな現場での作業が不要であり、工期を短縮かつコストを削減できる。すなわち分割片１１ａ〜１１ｃ，２１の組立により農業ハウス１はそれ自体で自立するので、予め工場内で製造した分割片１１ａ〜１１ｃ，２１を現場で組み立てるだけでよく、現場での作業が容易である。組立に際し、特殊な技術は不要であり、素人でも簡単に組み立てることができる。【００３１】
（２）発泡スチロールを構成材とするため、断熱性および遮光性に優れ、ハウス内を効率よく栽培植物に適した環境に設定できる。また、発泡スチロールは軽量であるため、運搬性および組立性が容易であり、リサイクルも容易である。
（３）分割周壁１１を継ぎ足して細長の農業ハウス１を形成するので、地形に合わせて任意の大きさのハウス１に容易に変更することができる。
（４）Ｈ鋼５０を介して分割周壁１１同士を連結するので、Ｈ鋼５０が補強材となってハウス自体、十分な強度を得ることができる。したがって、積雪が多い地域でも用いることができる。
（５）分割周壁１１の端面に凹部１１３，１１４を形成し、この凹部１１３，１１４にＨ鋼５０を嵌合して分割周壁１１同士を接着するので、Ｈ鋼５０が表面に露出することがなく、ハウス１の全面を発泡スチロールで覆うことができる。【００３２】
（６）敷地に敷設した支持ブロック３０を介してハウス１を支持するので、通常の建築物で必要とされるような基礎工事が不要であり、ハウス１を短期間で完成できる。また、分割片１１ａ，１１ｃとＨ鋼５０をボルト３１を介して支持ブロック３０に一体に締結するので、ボルト３１の締結箇所が少なくてすみ、作業が容易である。ハウス１の移設や撤去作業も容易である。
（６）農業ハウス１をその底部から天井部にかけて曲面状（アーチ状）に形成するので、ハウス１の内表面に凹凸箇所は少なく、ハウス内に埃や雑菌が溜まることを抑制できる。また、ハウス内をムラのない均一な空調状態に容易に設定できる。
（７）ハウス１の内表面に反射材４４を貼付するので、照明光が反射材４４で反射し、照明２１０を多数設けなくても多段式栽培棚２００等での栽培が可能である。【００３３】
なお、上記実施の形態では、農業ハウス１をアーチ状に形成して内部に略半円筒形状（略トンネル形状）の密閉空間を形成したが、複数の分割片を集合して組み立てるのであれば、農業ハウス１の形状はこれに限らず、分割片の形状も上述したものに限定されない。例えばハウス全体を半球状としてもよく、直方体状としてもよい。分割片を組み立てて形成した側壁の上に分割片を組み立てて形成した屋根を被せるようにしてもよい。【００３４】
上記実施の形態では、農業ハウス１でいちごを栽培する例を説明したが、ハウス内で他の果物や野菜、キノコ等を栽培してもよい。キノコを栽培する場合には、ハウス内が比較的暗く、かつ湿度が高くなるように照明および空調を調節すればよい。食物以外に花などの植物を栽培してもよい。【００３５】
上記実施の形態では、分割片同士の前後方向の連結部に補強部材としてＨ鋼５０もしくはプレート５１を介装するようにしたが、補強部材の形状はこれに限らない。補強部材はなくてもよい。前後方向だけでなく、周方向の分割片同士の連結部に補強部材を設けるようにしてもよい。ハウス内に多段式の栽培棚２００を設置して栽培を行うようにしたが、ハウス内の構成は上述したものに限定されない。ハウス１は幅広で、高さもあるため、ハウス内に耕耘機を導入して土耕栽培をすることも可能である。【００３６】
農業ハウス１を略Ｕ字断面の支持ブロック３０を介して支持するようにしたが、支持ブロックの形状はこれに限らない。例えば分割片１１ａ，１１ｃの底面に凹部もしくは凸部を設け、この凹部もしくは凸部に嵌合するように支持ブロックを形成してもよい。農業ハウス１を設置する場所は地面とは限らず、例えば建物の屋上等に設置することもできる。農業ハウス１を１棟だけでなく複数棟設置し、各棟毎に異なった植物を栽培するようにしてもよい。あるいは１棟の農業ハウス１に複数の栽培室１０５を設け、各栽培室毎に異なった植物を栽培するようにしてもよい。【００３７】
すなわち、本発明の特徴、機能を実現できる限り、本発明は実施の形態の全天候型農業ハウスに限定されない。なお、以上の説明はあくまで一例であり、発明を解釈する際、上記実施形態の記載事項と特許請求の範囲の記載事項の対応関係になんら限定も拘束もされない。
【図１】
2007017922.tif 000002
【図２】
2007017922.tif 000003
【図３】
2007017922.tif 000004
【図４】
2007017922.tif 000005
【図５】
2007017922.tif 000006
【図６】
2007017922.tif 000007
【図７】
2007017922.tif 000008
【図８】
2007017922.tif 000009
【図９】
2007017922.tif 000010
【図１０】
2007017922.tif 000011
【国際調査報告】
2007017922.tif 000012
2007017922.tif 000013
2007017922.tif 000014
2007017922.tif 000015